【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
ユーザによって操作される複数のクライアント計算機にインターネットを介して接続され、プロセッサ、メモリ及びインタフェースを備えるＷＥＢサーバであって、
過去に受信した検索要求に含まれる検索キーワードを示す検索履歴を記憶し、
検索キーワードを含む検索要求を、前記クライアント計算機から受信し、
前記受信した検索要求から検索キーワードを抽出し、
前記検索履歴を参照して、前記抽出された検索キーワードを含む検索要求の受信頻度が、閾値以上であるか否かを判定し、
前記受信頻度が閾値以上の場合に、前記抽出された検索キーワードに関する情報をユーザ同士で交換可能なＷＥＢページを作成することを特徴とするＷＥＢサーバ。
【請求項２】
ユーザによって操作される複数のクライアント計算機にインターネットを介して接続され、プロセッサ、メモリ及びインタフェースを備えるＷＥＢサーバであって、
過去に受信した検索要求に含まれる検索キーワードを示す検索履歴、及び検索キーワードと当該検索キーワードに関するＷＥＢページとの対応を示すＷＥＢページ管理情報を記憶し、
検索キーワードを含む検索要求を、前記クライアント計算機から受信し、
前記受信した検索要求から検索キーワードを抽出し、
前記検索履歴を参照して、前記抽出された検索キーワードを含む検索要求の受信頻度が、閾値以上であるか否かを判定し、
前記受信頻度が閾値以上の場合に、前記ＷＥＢページ管理情報を参照して、前記抽出された検索キーワードに関する情報をユーザ同士で交換可能なＷＥＢページを特定し、
前記特定されたＷＥＢページに関する情報を、前記クライアント計算機に送信することを特徴とするＷＥＢサーバ。
【請求項３】
ユーザによって操作される複数のクライアント計算機にインターネットを介して接続され、プロセッサ、メモリ及びインタフェースを備えるＷＥＢサーバであって、
過去に受信した検索要求に含まれる検索キーワードを示す検索履歴を記憶し、
検索キーワードを含む検索要求を、前記クライアント計算機から受信し、
前記受信した検索要求から検索キーワードを抽出し、
前記抽出された検索キーワードに関する情報をユーザ同士で交換可能なＷＥＢページを作成し、
前記抽出された検索キーワードを含む検索要求を以後受信した場合に、前記作成されたＷＥＢページに関する情報を、前記クライアント計算機に送信することを特徴とするＷＥＢサーバ。
【請求項４】
ユーザによって操作される複数のクライアント計算機にインターネットを介して接続され、プロセッサ、メモリ及びインタフェースを備えるＷＥＢサーバであって、
過去に受信した検索要求に対する検索結果を示す検索履歴を記憶し、
検索要求を前記クライアント計算機から受信し、
前記検索履歴を参照して、前記受信した検索要求に対する検索結果の送信頻度が、閾値以上であるか否かを判定し、
前記送信頻度が閾値以上の場合に、前記受信した検索要求に対する検索結果に関する情報をユーザ同士で交換可能なＷＥＢページを作成することを特徴とするＷＥＢサーバ。
【請求項５】
ユーザによって操作される複数のクライアント計算機にインターネットを介して接続され、プロセッサ、メモリ及びインタフェースを備えるＷＥＢサーバであって、
過去に受信した検索要求に対する検索結果を示す検索履歴、及び検索結果と当該検索結果に関するＷＥＢページとの対応を示すＷＥＢページ管理情報を記憶し、
検索要求を前記クライアント計算機から受信し、
前記受信した検索要求に対する検索結果の送信頻度が、閾値以上であるか否かを判定し、
前記送信頻度が閾値以上の場合に、前記ＷＥＢページ管理情報を参照して、前記受信した検索要求に対する検索結果に関する情報をユーザ同士で交換可能なＷＥＢページを特定し、
前記特定されたＷＥＢページに関する情報を、前記クライアント計算機に送信することを特徴とするＷＥＢサーバ。
【請求項６】
ユーザによって操作される複数のクライアント計算機にインターネットを介して接続され、プロセッサ、メモリ及びインタフェースを備えるＷＥＢサーバであって、
過去に受信した検索要求に対する検索結果を示す検索履歴を記憶し、
検索要求を前記クライアント計算機から受信し、
前記受信した検索要求に対する検索結果に関する情報をユーザ同士で交換可能なＷＥＢページを作成し、
前記受信した検索要求に対する検索結果を以後送信する場合に、前記作成されたＷＥＢページに関する情報を、前記クライアント計算機に送信することを特徴とするＷＥＢサーバ。
【請求項７】
ユーザによって操作される複数のクライアント計算機にインターネットを介して接続され、プロセッサ、メモリ及びインタフェースを備えるＷＥＢサーバであって、
過去に受信した検索要求に含まれる検索キーワードを示す検索履歴を記憶し、
検索キーワードを含む検索要求を、前記クライアント計算機から受信し、
前記受信した検索要求から検索キーワードを抽出し、
前記検索履歴を参照して、前記抽出された検索キーワードを含む検索要求の受信頻度が、閾値以上であるか否かを判定し、
前記受信頻度が閾値以上の場合に、前記抽出された検索キーワードに関する情報をユーザ同士で交換可能なＷＥＢページへアクセスするためのアドレスを作成し、
前記作成されたアドレスへのアクセスを受信した場合に、前記抽出された検索キーワードに関するＷＥＢページを作成することを特徴とするＷＥＢサーバ。
【請求項８】
ユーザによって操作される複数のクライアント計算機にインターネットを介して接続され、プロセッサ、メモリ及びインタフェースを備えるＷＥＢサーバであって、
過去に受信した検索要求に対する検索結果を示す検索履歴を記憶し、
検索要求を前記クライアント計算機から受信し、
前記検索履歴を参照して、前記受信した検索要求に対する検索結果の送信頻度が、閾値以上であるか否かを判定し、
前記送信頻度が閾値以上の場合に、前記抽出された検索キーワードに関するＷＥＢページへアクセスするためのアドレスを作成し、
前記作成されたアドレスへのアクセスを受信した場合に、前記抽出された検索キーワードに関する情報をユーザ同士で交換可能なＷＥＢページを作成することを特徴とするＷＥＢサーバ。
【請求項９】
前記ＷＥＢページは、掲示板又はチャットであることを特徴とする請求項１から８のいずれか一つに記載のＷＥＢサーバ。
【請求項１０】
前記作成又は前記特定されたＷＥＢページに関する情報を、前記受信した検索要求に対する検索結果とともに、前記クライアント計算機に送信することを特徴とする請求項１から６のいずれか一つに記載のＷＥＢサーバ。
【請求項１１】
前記作成されたアドレスを、前記受信した検索要求に対する検索結果とともに、前記クライアント計算機に送信することを特徴とする請求項７又は８に記載のＷＥＢサーバ。
【請求項１２】
シソーラスを用いて、前記抽出された検索キーワードに関連するキーワードを、前記抽出された検索キーワードとして扱うことを特徴とする請求項１、２、３又は７のいずれか一つに記載のＷＥＢサーバ。
【請求項１３】
前記検索履歴を参照して、前記抽出された検索キーワードを含む検索要求の受信頻度が、閾値以上であるか否かを判定し、
前記受信頻度が閾値以上の場合に、前記抽出された検索キーワードに関するＷＥＢページを作成することを特徴とする請求項３に記載のＷＥＢサーバ。
【請求項１４】
前記検索履歴を参照して、前記受信した検索要求に対する検索結果の送信頻度が、閾値以上であるか否かを判定し、
前記送信頻度が閾値以上の場合に、前記受信した検索要求に対する検索結果に関するＷＥＢページを作成することを特徴とする請求項６に記載のＷＥＢサーバ。